(57)【要約】【課題】既存の建物に対して緑化設備を簡単に設置できると共に、台風や強風時に簡単に安全な場所に移動できるようにすること。【解決手段】建物に複数の緑化プランター１を設置して、緑化プランター１の植物で建物を緑化するための緑化システムであって、緑化プランター１より上方に配置され、緑化プランター１に送る水を貯めるための貯水タンク４と、雨水を貯水タンク４に集めるための集水管７と、重力を使って、貯水タンク４からの水を緑化プランター１に配水するための配水管４０と、緑化プランター１を設置し、任意の場所に移動できるように車輪を備えた屋台型の設置台２，２’と、設置台２，２’の屋根部に敷設されたシート型の太陽電池モジュール３と、地下湧水を貯水するための地下湧水タンク５と、太陽電池モジュール３で発電された電力によって駆動し、地下湧水タンク５の水を貯水タンク４に汲み上げるためのポンプ部６と、を備える。【選択図】図１
2014147343.tif 000002
【特許請求の範囲】
【請求項１】
建物に複数の緑化プランターを設置して、前記緑化プランターに植栽した植物で建物を緑化するための緑化システムであって、
前記緑化プランターより上方に配置され、前記緑化プランターに送る水を貯めるための貯水タンクと、
雨水を前記貯水タンクに集めるための集水管と、
重力を使って、前記貯水タンクからの水を前記緑化プランターに配水するための配水管と、
前記緑化プランターを設置し、任意の場所に移動できるように車輪を備えた屋台型の設置台と、
前記設置台の屋根部に敷設されたシート型の太陽電池モジュールと、
地下湧水を貯水するための地下湧水タンクと、
前記太陽電池モジュールで発電された電力によって駆動し、前記地下湧水タンクの水を前記貯水タンクに汲み上げるためのポンプ部と、
を備えることを特徴とする緑化システム。
【請求項２】
前記設置台は、
前記緑化プランターを載置するための載置部と、
前記載置部から垂直方向に延設された垂直フレーム部と、
前記垂直フレーム部の上端から斜め上方に延設され、前記太陽電池モジュールを設置するための屋根フレーム部と、を備え、
前記屋根フレーム部は、前記垂直フレーム部の上端に、回転軸を介して連結されており、使用時においては、斜め上方に延設するように固定され、不使用時においては、前記垂直フレーム部に沿って折りたたまれ、
不使用時に、前記屋根フレーム部を折りたたむことで、複数の前記設置台を水平方向に重ねて収納できることを特徴とする請求項１に記載の緑化システム。
【請求項３】
前記太陽電池モジュールと前記ポンプ部との間に、前記ポンプ部のチャタリングを防止するためのチャタリング防止回路を備え、
前記ポンプ部は、前記太陽電池モジュールで発電された電力のみによって駆動するように構成され、
前記チャタリング防止回路は、
前記太陽電池モジュールからの電圧が所定の閾値よりも大きいときに、前記太陽電池モジュールと前記ポンプ部とを接続し、前記太陽電池モジュールからの電圧が所定の閾値よりも小さいときに、前記太陽電池モジュールと前記ポンプ部とを開放するタイマ接点部と、
前記タイマ接点部に接続され、前記タイマ接点部が開いたときに、所定の開放時間だけ前記タイマ接点部を開くようにするタイマ部と、を備えることを特徴とする請求項１又は２に記載の緑化システム。
【請求項４】
前記ポンプ部は、
第１ポンプと第２ポンプとを備え、
前記タイマ接点部は、
前記第１ポンプに接続された第１タイマ接点と、前記第２ポンプに接続された第２タイマ接点と、を備え、
前記タイマ部は、
前記第１タイマ接点に接続された第１タイマと、
前記第２タイマ接点に接続された第２タイマと、を備え、
前記第２タイマが前記第２タイマ接点を開く前記開放時間は、前記第１タイマが前記第１タイマ接点を開く前記開放時間よりも長い、ことを特徴とする請求項３に記載の緑化システム。
【請求項５】
前記集水管は、
水平方向に延設された水平管を有する第１接続管と、
前記第１接続管の水平管に接続し、垂直方向に延設された垂直管を有する第２接続管と、に接続され、
前記第１接続管は、前記集水管と同じ又は大きな内径を有し、排水するための排水管に接続され、
前記第２接続管は、前記集水管より小さな内径を有し、前記貯水タンクに接続される、ことを特徴とする請求項１〜４のいずれかに記載の緑化システム。
【発明の詳細な説明】
【技術分野】
【０００１】
本発明は、建物に複数の緑化プランターを設置して、この緑化プランターに植栽した植物で建物を緑化するための緑化システムに関する。
【背景技術】
【０００２】
近年では、都市部に多数の高層ビルなどが建設され、緑地が減少し、その結果、地表面温度が上昇し、地球温暖化の原因となっている。そこで、周知のように、住宅や建物の屋根・壁面などに緑化設備を設けて、表面温度の上昇を防止するシステムがある（例えば特許文献１〜３参照）。
【０００３】
従来の緑化システムは、緑化するための設備を建物の屋根や壁面に設置するように構成されている。また、従来の緑化システムは、水道水、あるいは貯水タンクからの水を、ポンプの駆動によって、造成緑地に配水するように構成されており、ポンプは、太陽光を電力に変換する太陽電池パネルによって駆動されている。
【０００４】
しかし、従来の緑化システムは、既存の建物に対して緑化設備を簡単に設置できるように構成されていない。そのため、既存の建物に緑化システムを設置するためには、長い施工期間や高い施工コストを必要としていた。また、従来の緑化システムは、緑化設備や太陽電池パネルを簡単に移動できるようには構成されていない。そのため、台風や強風時に、簡単に緑化設備や太陽電池パネルを安全な場所に移動できないので、これらが飛ばされて落下することがあり、非常に危険で、また、故障や破損することがあった。
【０００５】
また、従来の緑化システムは、太陽電池パネルの他に、電源やバッテリを用いており、太陽電池パネルからの電力が不足すると、電源やバッテリがポンプを駆動するように構成されている。しかし、バッテリや電源を設置すると、バッテリに鉛などの有害物質を使用するので、環境に悪影響を及ぼすと共に、施工コストが増加していた。
【０００６】
そこで、別の従来の緑化システムは、電源やバッテリを用いずに、太陽電池パネルとポンプとを直接接続して、太陽電池パネルからの電力だけでポンプを駆動するように構成されている。しかし、天候が曇りのときや、早朝や夕方のときには、太陽光の明暗が繰り返されるので、太陽電池パネルからの電力が、ポンプの駆動に必要な電力の閾値を跨って上下することになり、その結果、ポンプが短時間で起動及び停止を繰り返し（チャタリング）、ポンプが発熱して、劣化や火災の原因となっていた。
【先行技術文献】
【特許文献】
【０００７】
【特許文献１】特開平１１−２９３７１７号公報
【特許文献２】特開２００２−１５３１３２号公報
【特許文献３】特開２００８−２５９４８４号公報
【発明の概要】
【発明が解決しようとする課題】
【０００８】
そこで、本発明が解決しようとする課題は、既存の建物に対して緑化設備を簡単に設置できると共に、台風や強風時に簡単に安全な場所に移動できる緑化システムを提供することにある。さらに、本発明が解決しようとする課題は、電源やバッテリを使用することなく、天候が曇り等のときでも、ポンプがチャタリングしない緑化システムを提供することにある。
【課題を解決するための手段】
【０００９】
上記課題を解決するために、本発明に係る緑化システムは、
建物に複数の緑化プランターを設置して、この緑化プランターに植栽した植物で建物を緑化するためのシステムであって、
緑化プランターより上方に配置され、緑化プランターに送る水を貯めるための貯水タンクと、
雨水を貯水タンクに集めるための集水管と、
重力を使って、貯水タンクからの水を緑化プランターに配水するための配水管と、
緑化プランターを設置し、任意の場所に移動できるように車輪を備えた屋台型の設置台と、
設置台の屋根部に敷設されたシート型の太陽電池モジュールと、
地下湧水を貯水するための地下湧水タンクと、
太陽電池モジュールで発電された電力によって駆動し、地下湧水タンクの水を貯水タンクに汲み上げるためのポンプ部と、
を備える。
【００１０】
好ましくは、
設置台は、
緑化プランターを載置するための載置部と、
載置部から垂直方向に延設された垂直フレーム部と、
垂直フレーム部の上端から斜め上方に延設され、太陽電池モジュールを設置するための屋根フレーム部と、を備え、
屋根フレーム部は、垂直フレーム部の上端に、回転軸を介して連結されており、使用時においては、斜め上方に延設するように固定され、不使用時においては、垂直フレーム部に沿って折りたたまれ、
不使用時に、屋根フレーム部を折りたたむことで、複数の設置台を水平方向に重ねて収納できる。
【００１１】
好ましくは、
太陽電池モジュールとポンプ部との間に、ポンプ部のチャタリングを防止するためのチャタリング防止回路を備え、
ポンプ部は、太陽電池モジュールで発電された電力のみによって駆動するように構成され、
チャタリング防止回路は、
太陽電池モジュールからの電圧が所定の閾値よりも大きいときに、太陽電池モジュールとポンプ部とを接続し、太陽電池モジュールからの電圧が所定の閾値よりも小さいときに、太陽電池モジュールとポンプ部とを開放するタイマ接点部と、
タイマ接点部に接続され、その後、タイマ接点部が開いたときに、所定の開放時間だけタイマ接点部を開くようにするタイマ部と、を備える。
【００１２】
好ましくは、
ポンプ部は、
第１ポンプと第２ポンプとを備え、
タイマ接点部は、
第１ポンプに接続された第１タイマ接点と、第２ポンプに接続された第２タイマ接点と、を備え、
タイマ部は、
第１タイマ接点に接続された第１タイマと、
第２タイマ接点に接続された第２タイマと、を備え、
第２タイマが第２タイマ接点を開く開放時間は、第１タイマが第１タイマ接点を開く開放時間よりも長い。
【００１３】
好ましくは、
集水管は、
水平方向に延設された水平管を有する第１接続管と、
第１接続管の水平管に接続し、垂直方向に延設された垂直管を有する第２接続管と、に接続され、
第１接続管は、集水管と同じ又は大きな内径を有し、排水するための排水管に接続され、
第２接続管は、集水管より小さな内径を有し、貯水タンクに接続される。
【発明の効果】
【００１４】
上記の通り、本発明に係る緑化システムは、緑化プランターを設置し、任意の場所に移動できるように車輪を備えた屋台型の設置台と、設置台の屋根部に敷設されたシート型の太陽電池モジュールと、を備える。このように、車輪によって設置台を簡単に移動できるようになっており、さらに、太陽電池モジュールはシート型なので、簡単に移動できるようになっており、その結果、既存の建物に対して緑化設備を簡単に設置できるとともに、台風や強風時にも簡単に安全な場所に移動できる。
【００１５】
さらに、本発明に係る緑化システムは、雨水を貯水タンクに集め、太陽電池モジュールからの電力を使って、地下湧水を貯水タンクに汲み上げ、その後、重力を使って、緑化プランターに配水するように構成されている。このように、雨水や地下湧水を貯水タンクに集めた後は、重力の位置エネルギーのみで、緑化プランターに配水するので、余分な電力を使うことなく、維持コストを最小にすることができる。さらに、本発明に係る緑化システムは、天候が悪く雨天の場合には、雨水を集めて重力で配水することができ、一方、天候が良く晴天の場合には、ポンプで地下湧水を汲み上げて重力で配水することができるので、全ての天候に適応している。
【００１６】
さらに、本発明に係る緑化システムは、ポンプ部のチャタリングを防止するためのチャタリング防止回路を備え、チャタリング防止回路は、太陽電池モジュールからの電圧が所定の閾値よりも大きいときに、太陽電池モジュールとポンプ部とを接続し、太陽電池モジュールからの電圧が所定の閾値よりも小さいときに、ポンプ部への接続を開くタイマ接点部と、タイマ接点部に接続され、タイマ接点部が開いたときに、所定の開放時間だけタイマ接点部を開くようにするタイマ部と、を備える。
【００１７】
これによって、天候が曇りのときや、朝夕のときに、太陽電池モジュールからの電力が、ポンプ部の駆動に必要な電力の閾値を跨って上下しても、電力が閾値よりも小さくなると、所定の開放時間（例えば５分）だけポンプ部が駆動しない。その結果、ポンプ部が起動及び停止を繰り返さない（チャタリングしない）ので、ポンプ部の発熱や劣化、火災を防止できる。
【図面の簡単な説明】
【００１８】
【図１】本発明に係る緑化システムを示す斜視図。
【図２】緑化システムの一部を示す側面図。
【図３】第１設置台を示し、（Ａ）は側面図、（Ｂ）は正面図。
【図４】第１設置台を示し、（Ａ）は使用時の側面図、（Ｂ）は不使用時の側面図。
【図５】第２設置台を示し、（Ａ）は側面図、（Ｂ）は正面図。
【図６】第２設置台を示し、（Ａ）は使用時の側面図、（Ｂ）は不使用時の側面図。
【図７】チャタリング防止回路の第１実施形態を示す回路図。
【図８】チャタリング防止回路の第１実施形態を説明するためのグラフ図。
【図９】チャタリング防止回路の第２実施形態を示す回路図。
【図１０】チャタリング防止回路の第２実施形態を説明するためのグラフ図。
【図１１】貯水タンクを説明するための側面図。
【発明を実施するための形態】
【００１９】
以下、図面に基づいて、本発明に係る緑化システムを詳細に説明する。
【００２０】
[全体構成]
緑化システムの全体構成について説明する。
図１及び図２の通り、緑化システムは、建物に複数の緑化プランター１を設置して、緑化プランター１の植物で建物を緑化する。複数の緑化プランター１は、建物の階段１００や広場１０１などに設置される。緑化システムは、複数の緑化プランター１より上方に配置され、緑化プランター１に送る水を貯めるための貯水タンク４を備える。緑化システムは、建物の屋上１０２に降った雨水を貯水タンク４に集めるための集水管７を備える。
【００２１】
緑化システムは、貯水タンク４からの水を緑化プランター１に配水するための配水管４０を備える。配水管４０は、各緑化プランター１に接続されている。そして、貯水タンク４は、各緑化プランター１より上方に配置されているので、重力による位置エネルギーによって、貯水タンク４からの水が配水管４０を通じて、上方に配置された緑化プランター１から下方に配置された緑化プランター１に配水されるようになっている。
【００２２】
緑化システムは、建物の広場１０１などに配置される複数の屋台型の設置台２，２’を備える。設置台２は、緑化プランター１を設置できるように構成されている。また、設置台２は、車輪２５（図３）を備えており、任意の場所に移動できるように構成されている。例えば、複数の設置台２，２’が、平行に二列に並べられており、緑化プランター１が、互いに対向するように配置されている。そして、二列の設置台２，２’の間に設けられた空間を、見物人が歩行して、両側の緑化プランター１を見物できるようになっている。
【００２３】
設置台２の屋根部には、シート型の太陽電池モジュール３が敷設されている。そして、好ましくは、太陽光が太陽電池モジュール３に効率よく照射されるために、設置台２は、太陽電池モジュール３が南側に向くように、屋根部が南側に向けて配置される。
【００２４】
緑化システムは、建物の地下部の地下湧水を貯水するための地下湧水タンク５を備える。地下湧水タンク５は、汲み上げ管５０を介して、上方に配置された貯水タンク４に連結されている。緑化システムは、ポンプ部６を備えており、ポンプ部６は、太陽電池モジュール３で発電された電力によって駆動し、地下湧水タンク５の水を貯水タンク４に汲み上げるように構成されている。
【００２５】
上記の通り、設置台２は、屋台型をしており、車輪２５を備えているので、簡単に移動できるようになっており、さらに、太陽電池モジュール３は、シート型をしているので、簡単に移動できるようになっている。従って、既存の建物に対して、緑化プランター１を設置するための緑化設備（設置台２及び太陽電池モジュール３）を簡単に設置できると共に、台風や強風時にも簡単に安全な場所に移動できる。
【００２６】
さらに、上記の通り、緑化システムは、雨水を貯水タンク４に集め、重力の位置エネルギーのみで、貯水タンク４の水を緑化プランター１に配水するように構成されている。さらに、緑化プランター１が多数の場合、雨水だけでは育成できないので、緑化システムは、太陽電池モジュール３からの電力を使って、ポンプ部６で地下湧水タンク５の地下湧水を貯水タンク４に汲み上げ、その後、重力の位置エネルギーを使って、緑化プランター１に配水するように構成されている。
【００２７】
このように、雨水や地下湧水を貯水タンク４に集めた後は、重力の位置エネルギーのみで、緑化プランター１に配水するので、余分な電力を使うことなく、維持コストを最小にすることができる。さらに、緑化システムは、天候が悪く雨天の場合には、雨水を貯水タンク４に集めて重力で配水することができ、その一方、天候が良く晴天の場合には、ポンプ部６で地下湧水を貯水タンク４に集めて重力で配水することができるので、全ての天候に適応している。
【００２８】
[設置台]
第１及び第２設置台２，２’の構成について説明する。第１設置台２と第２設置台２’とは、互いに対向して設けられており、見物人は、第１設置台２と第２設置台２’との間を歩行しながら、緑化プランター１に植えられた植物を見物できる（図１、図２）。
【００２９】
＜第１設置台＞
図３及び図４の通り、第１設置台２は、緑化プランター１を載置するためのプレート型の載置部２０を備える。載置部２０は、上面に緑化プランター１を載置すると共に、例えば、見物人が休憩するためのベンチ１０等を設置することもできる（図４（Ａ））。設置台２は、載置部２０の下面に複数の車輪２５を備える。設置台２は、載置部２０から垂直方向に延設された複数の垂直フレーム部２１を備える。垂直フレーム部２１は、等間隔に載置部２０に設けられる。垂直フレーム部２１は、その上端に、回転軸２６を備えている。屋根フレーム部２２が、回転軸２６を介して、垂直フレーム部２１に連結されている。
【００３０】
屋根フレーム部２２は、その先端に、回転軸２８を備えている。支持フレーム部２３が、回転軸２８を介して、屋根フレーム部２２に連結されている。支持フレーム部２３は、着脱部２７を介して、垂直フレーム部２１に連結されている。
【００３１】
使用時において、着脱部２７が垂直フレーム部２１に固定され、屋根フレーム部２２が、垂直フレーム部２１の上端から斜め上方に延設される（図３（Ａ））。そして、太陽電池モジュール３が、屋根フレーム部２２に設置される（図４（Ａ））。着脱部２７の位置を変更することで、季節に応じた太陽の向きに合わせて、屋根フレーム部２２の角度を変更できる。
【００３２】
不使用時において、着脱部２７が垂直フレーム部２１から取り外されることで、屋根フレーム部２２と支持フレーム部２３とが折り畳まれて、垂直フレーム部２１に沿って垂直に配置できる（図３（Ａ）の点線）。このように、屋根フレーム部２２を折り畳むことで、複数の設置台２を水平方向に重ねてコンパクトに収納できる（図４（Ｂ））。
【００３３】
そして、使用時に屋根フレーム部２２を斜め上方に延設したり、不使用時に屋根フレーム部２２を折り畳んだりしやすいように、設置台２は、垂直フレーム部２１と屋根フレーム部２２との間にエアシリンダー部２４を備えており、作業者が屋根フレーム部２２を動作する際に、エアシリンダー部２４の動力が作業者をアシストするようになっている。
【００３４】
＜第２設置台＞
図５及び図６の通り、第２設置台２’は、緑化プランター１を載置するためのプレート型の載置部２０’を備える。載置部２０は、上面に緑化プランター１を載置すると共に、例えば、見物人が休憩するためのベンチ１０等を設置することもできる（図６（Ａ））。設置台２’は、載置部２０’の下面に複数の車輪２５’を備える。
【００３５】
設置台２’は、垂直方向に延設され、等間隔に設けられた複数の垂直フレーム部２１’を備える。載置台２’は、交差して配置された２本の支持フレーム部２３’を備える。載置台２’は、屋根フレーム部２２’を備える。支持フレーム部２３’は、屋根フレーム部２２’が垂直フレーム部２１の上端から斜め上方に延設されるように支持する。これら垂直フレーム部２１’、屋根フレーム部２２’ 及び支持フレーム部２３’が連結され、フレーム体２９’を構成する。フレーム体２９’は、載置部２０’に取り付けられる。フレーム体２９’は、その下端に車輪２５’を備える。
【００３６】
使用時において、フレーム体２９’は、載置部２０’に取り付けられる。そして、太陽電池モジュール３が、屋根フレーム部２２’に設置される（図６（Ａ））。
【００３７】
また、不使用時において、フレーム体２９’が載置部２０’から取り外され、車輪２５’によって複数のフレーム体２９’を水平方向に重ねてコンパクトに収納できる（図６（Ｂ））。
【００３８】
[チャタリング防止回路]
＜第１実施形態＞
チャタリング防止回路の第１実施形態について説明する。
図７の通り、太陽電池モジュール３とポンプ部６との間に、チャタリング防止回路８が接続されている。天候が曇りのときや、朝夕のときに、太陽電池モジュール３からの電力が、ポンプ部６の駆動に必要な電力の閾値を跨って上下しても、チャタリング防止回路８によって、ポンプ部６が起動及び停止を繰り返さない（チャタリングしない）ようになっている。
【００３９】
チャタリング防止回路８は、太陽電池モジュール３が発電する直流電圧を交流電圧に変換する変換器８０を備える。チャタリング防止回路８は、変換器８０からの交流電圧の電力を制御するインバータ装置８１を備える。チャタリング防止回路８は、インバータ装置８１とポンプ部６との間にタイマ接点部８３を備える。チャタリング防止回路８は、インバータ装置８１とタイマ接点部８３との間に接続されたタイマ部８２を備える。
【００４０】
太陽電池モジュール３からの電力が所定の電力閾値Ｗ１以上で、１台のポンプ部６を起動できる電力レベルとなり、インバータ装置８１が起動し、電力閾値Ｗ１以下で、ポンプ部６を駆動できる電力レベルを下廻り、電力降下をまねき、インバータ装置８１が停止する。タイマ接点部８３は、太陽電池モジュール３からの電力が所定の電力閾値Ｗ１以上で接続し、電力閾値Ｗ１以下で開放する。タイマ部８２は、インバータ装置８１の停止を検知する。
【００４１】
そして、太陽電池モジュール３からの電力が所定の電力閾値Ｗ１以下になると、インバータ装置８１が停止すると共に、タイマ接点部８３が開き、タイマ部８２がタイマ接点部８３を所定の開放時間Ｔ１（例えば５分）だけ開くように構成されている。タイマ接点部８３が開くと、太陽電池モジュール３からの電力は、タイマ接点部８３で遮断されて、ポンプ部６は、所定の開放時間Ｔ１だけ停止するようになっている。
【００４２】
図８に基づき、例えば、太陽光が、朝から昼にかけて増加し、昼から晩にかけて減少し、途中、天候が悪くなり、太陽光が減少する場合について、チャタリング防止回路８の動作を説明する。
【００４３】
ポンプ部６、インバータ装置８１及びタイマ接点部８３は、所定の電力閾値Ｗ１で起動するように構成されている。図８（Ａ）の通り、太陽電池モジュール３が発電する電力は、ポイントＰ１において閾値Ｗ１より大きくなり、ポイントＰ２において閾値Ｗ１より小さくなり、ポイントＰ３において閾値Ｗ１より大きくなり、ポイントＰ４において閾値Ｗ１より小さくなる。
なお、ポイントＰ１では、短時間の間で、太陽電池モジュール３からの電力が閾値Ｗ１を跨いで上下した後、閾値Ｗ１より大きくなっている。
【００４４】
図８（Ｂ）の通り、ポイントＰ１において、太陽電池モジュール３からの電力が、閾値Ｗ１より大きくなると、インバータ装置８１が起動して、タイマ接点部８３が接続されるので、ポンプ部６が起動する。その後、ポイントＰ１において、太陽電池モジュール３からの電力が、閾値Ｗ１より小さくなると、インバータ装置８１が停止し、タイマ部８２は、所定の開放時間Ｔ１（例えば５分）だけタイマ接点部８３を開放し、その結果、ポンプ部６が所定時間Ｔ１だけ停止する。開放時間Ｔ１経過後、太陽電池モジュール３からの電力が、閾値Ｗ１より大きいので、インバータ装置８１が起動して、タイマ接点部８３が接続し、ポンプ部６が起動する。
【００４５】
このように、ポイントＰ１において、太陽電池モジュール３の発電する電力が、閾値Ｗ１を跨いで上下する場合でも、所定の開放時間Ｔ１だけポンプ部６が停止するので、短時間に起動と停止が繰り返されることなく、チャタリングを防止できる。
【００４６】
その後、図８（Ｂ）の通り、ポイントＰ２において、ポンプ部６が停止し、所定時間Ｔ１経過後において、電力が閾値Ｗ１より小さいので、ポンプ部６は停止し続ける。その後、ポイントＰ３において、ポンプ部６が起動し、ポイントＰ４において、ポンプ部６が停止する。
【００４７】
＜第２実施形態＞
チャタリング防止回路の第２実施形態について説明する。なお、上記第１実施形態と同じ構成については説明を省略する。
【００４８】
図９の通り、本実施形態の緑化システムでは、ポンプ部６は、第１ポンプ６ａと第２ポンプ６ｂとを備える。夏季においては、雨水の量は少ないが、太陽エネルギーは大きいので、２つのポンプを駆動することができ、それによって、大量の地下湧水を汲み上げることで、不足する雨水を補うことができる。
【００４９】
そして、本実施形態のチャタリング防止回路８では、タイマ接点部８３は、第１ポンプ６ａに接続された第１タイマ接点８３ａと、第２ポンプ６ｂに接続された第２タイマ接点８３ｂとを備える。タイマ部８２は、第１タイマ接点８３ａに接続された第１タイマ８２ａと、第２タイマ接点８３ｂに接続された第２タイマ８２ｂとを備える。
【００５０】
太陽電池モジュール３からの電力が第１電力閾値Ｗ１以上で、１台の第１ポンプ６ａを起動できる電力レベルとなり、インバータ装置８１が起動し、第１電力閾値Ｗ１以下で、第１ポンプ６ａを駆動できる電力レベルを下廻り、電力降下をまねき、インバータ装置８１が停止する。さらに、インバータ装置８１は、太陽電池モジュール３からの電力が第１電力閾値Ｗ１以上で起動し、その後、太陽電池モジュール３からの電力が第２電力閾値Ｗ２（Ｗ２＞Ｗ１）以上になると、第１ポンプ６ａと第２ポンプ６ｂの２台のポンプを起動できる電力レベルとなり、第２電力閾値Ｗ２（Ｗ２＞Ｗ１）以下では、１台のポンプしか起動できない電力レベルとなり、２台のポンプ６ａ，６ｂを起動しようとすると電力降下をまねき、インバータ装置８１が停止するようになっている。
【００５１】
タイマ部８２は、インバータ装置８１の停止を検知するようになっている。第１タイマ接点８３ａは、第１電力閾値Ｗ１以上で接続し、第１電力閾値Ｗ１以下で開放する。第２タイマ接点８３ｂは、第２電力閾値Ｗ２以上で接続し、第２電力閾値Ｗ２以下で開放する。
【００５２】
第１電力閾値Ｗ１以上で、第１ポンプ６ａが駆動する。第２電力閾値Ｗ２以上で、第１及び第２ポンプ６ａ，６ｂが駆動する。
【００５３】
タイマ部８２が、インバータ装置８１の停止を検知すると、第１タイマ８２ａは、第１タイマ接点８３ａを所定の第１開放時間Ｔ１（例えば５分）だけ開き、第２タイマ８２ｂは、第２タイマ接点８３ｂを所定の第２開放時間Ｔ２（Ｔ２＞Ｔ１、例えば１０分）だけ開くように構成されている。
【００５４】
図１０に基づき、例えば、太陽光が、朝から昼にかけて増加し、昼から晩にかけて減少し、途中、天候が悪くなり、太陽光が減少する場合について、チャタリング防止回路８の動作を説明する。
【００５５】
図１０（Ａ）の通り、第１ポンプ６ａは、内蔵された時間制御部（図示略）によって、９時から１８時の間だけ駆動するようになっている。そして、図１０（Ｂ）の通り、第２ポンプ６ｂは、１１時から１４時の間だけ駆動するようになっている。第１ポンプ６ａは、第１電力閾値Ｗ１（Ｗ１＜Ｗ２）で起動し、第２ポンプ６ｂは、第２電力閾値Ｗ２で起動するように構成されている。
【００５６】
図１０（Ｃ）の通り、太陽電池モジュール３が発電する電力は、ポイントＰ１において第１閾値Ｗ１より大きくなり、ポイントＰ２において第２閾値Ｗ２より大きくなり、ポイントＰ４において第２閾値Ｗ２より小さくなり、ポイントＰ５において第１閾値Ｗ１より小さくなり、ポイントＰ６において第１閾値Ｗ１より大きくなり、ポイントＰ７において第２閾値Ｗ２より大きくなり、ポイントＰ９において第２閾値Ｗ２より小さくなる。
【００５７】
図１０（Ｄ）の通り、ポイントＰ１において、太陽電池モジュール３からの電力が、第１電力閾値Ｗ１より大きくなると、インバータ装置８１が起動して、第１タイマ接点８３ａが接続されて、第１ポンプ６ａが起動する。その後、ポイントＰ２において、太陽電池モジュール３からの電力が第２電力閾値Ｗ２より大きくなり、第２ポンプ６ｂも駆動することができるが、１１時よりも前なので、第２ポンプ６ｂは駆動しない。その後、ポイントＰ３において、太陽電池モジュール３からの電力が第２電力閾値Ｗ２より大きく、１１時になるので、第２ポンプ６ｂも駆動する。
【００５８】
その後、ポイントＰ４において、太陽電池モジュール３からの電力が第２電力閾値Ｗ２より小さくなると、インバータ装置８１が停止し、第１タイマ８２ａは、第１開放時間Ｔ１（例えば５分）だけ第１タイマ接点８３ａを開放し、第１ポンプ６ａが第１開放時間Ｔ１だけ停止し、さらに、第２タイマ８２ｂは、第２開放時間Ｔ２（例えば１０分）だけ第２タイマ接点８３ｂを開放し、第２ポンプ６ｂが第２開放時間Ｔ２だけ停止する。
【００５９】
開放時間Ｔ１経過後、太陽電池モジュール３からの電力が第１電力閾値Ｗ１より大きいので、インバータ装置８１が起動して、第１タイマ接点８３ａが接続し、第１ポンプ６ａが起動する。開放時間Ｔ２経過後、太陽電池モジュール３からの電力が第２電力閾値Ｗ２より小さいので、第２タイマ接点８３ｂは開放し続け、第２ポンプ６ｂは停止し続ける。
【００６０】
このように、ポイントＰ４において、太陽電池モジュール３の発電する電力が、第２閾値Ｗ２を跨いで上下する場合でも、第１及び第２開放時間Ｔ１，Ｔ２だけ第１及び第２ポンプ６ａ，６ｂが停止するので、短時間に起動と停止が繰り返されることなく、チャタリングを防止できる。
【００６１】
その後、ポイントＰ５において、太陽電池モジュール３からの電力が第１電力閾値Ｗ１より小さくなるので、インバータ装置８１が停止して、第１タイマ接点８３ａが開放し、第１ポンプ６ａが停止する。そして、第１タイマ８２ａが、第１開放時間Ｔ１だけ第１タイマ接点８３ａを開放し、その後においても、太陽電池モジュール３からの電力が第１電力閾値Ｗ１より小さいので、インバータ装置８１が停止し続け、第１タイマ接点８３ａが開放し続け、第１ポンプ６ａが停止し続ける。
【００６２】
その後、ポイントＰ６において、太陽電池モジュール３からの電力が第１電力閾値Ｗ１より大きくなるので、インバータ装置８１が起動して、第１タイマ接点８３ａが接続し、第１ポンプ６ａが駆動する。
【００６３】
その後、ポイントＰ７において、太陽電池モジュール３からの電力が第２電力閾値Ｗ２より大きくなるので、第２タイマ接点８３ｂが接続し、第２ポンプ６ｂが駆動する。その後、ポイントＰ８において、１４時になるので、第２ポンプ６ｂが停止する。その後、ポイントＰ９において、１８時になるので、第１ポンプ６ａも停止する。
【００６４】
＜他の実施形態＞
上記の通り、第１及び第２実施形態では、インバータ装置８１を用いており、インバータ装置８１が停止することによって、タイマ接点部８３が開放し、タイマ部８２で所定時間だけタイマ接点部８３を開放するように制御する。他の実施形態として、太陽電池モジュール３からの電力を検知する電力測定装置を用いて、電力測定装置からの測定結果に基づいて、タイマ接点部８３を開放し、タイマ部８２で所定時間だけタイマ接点部８３を開放するように制御してもよい。
【００６５】
[貯水タンク]
図１１の通り、複数の貯水タンク４が、連結管４１を介して、連結されている。連結管４１は、貯水タンク４の下部で連結されており、それぞれ均等量の水が貯水されるようになっている。所定の貯水タンク４は、集水管７及び汲み上げ管５０に連結されており、別の所定の貯水タンク４は、配水管４０に連結されている。集水管７及び汲み上げ管５０を通じて、水が、貯水タンク４に貯水され、重力の位置エネルギーによって、配水管４０を通じて緑化プランター１に配水される。
【００６６】
集水管７は、第１接続管７０と第２接続管７１とに接続される。第１接続管７０は、水平方向に延設された水平管７０ａを備える。第１接続管７０は、水を排水するための排水管４３に接続されている。貯水タンク４の水がオーバーフローしないように、貯水タンク４の上部にオーバーフロー管４２が接続されており、オーバーフロー管４２は、排水管４３に連結されている。
【００６７】
第２接続管７１は、垂直方向に延設された垂直管７１ａを備える。垂直管７１ａは、第１接続管７０の水平管７０ａに接続されている。第２接続管７１は、貯水タンク４に接続されている。
【００６８】
第１接続管７０は、集水管７と同じ又は大きな内径を有し、第２接続管７１は、集水管７より小さな内径を有する。従って、雨天で、雨量が少量の場合は、雨水は、集水管７を通じ、第１接続管７０の水平管７０ａを通じ、重力によって、第２接続管７１の垂直管７１ａを通じて、貯水タンク４に流れるようになっている。そして、台風や暴風雨で、雨量が多量の場合は、ほとんどの雨水が第１接続管７０の水平管７０ａを通じて、排水管４３に流れ、少量の雨水が第２接続管７１の垂直管７１ａを通じて、貯水タンク４に流れる。そのため、台風や暴風雨であっても、貯水タンク４には多量の雨水が流れず、多量の水は排水管４３に流れるようになっている。
【符号の説明】
【００６９】
１  緑化プランター
２  第１設置台
２’  第２設置台
２０  設置部
２１  垂直フレーム部
２２  屋根フレーム部
２５  車輪
２６  回転軸
３  太陽電池モジュール
４  貯水タンク
４０  配水管
４３  排水管
５  地下湧水タンク
６  ポンプ部
６ａ  第１ポンプ
６ｂ  第２ポンプ
７  集水管
７０  第１接続管
７０ａ  水平管
７１  第２接続管
７１ａ  垂直管
８  チャタリング防止回路
８２  タイマ部
８２ａ  第１タイマ
８２ｂ  第２タイマ
８３  タイマ接点部
８３ａ  第１タイマ接点
８３ｂ  第２タイマ接点
Ｔ１  第１開放時間
Ｔ２  第２開放時間
Ｗ１  第１電力閾値
Ｗ２  第２電力閾値
【図１】
2014147343.tif 000003
【図２】
2014147343.tif 000004
【図３】
2014147343.tif 000005
【図４】
2014147343.tif 000006
【図５】
2014147343.tif 000007
【図６】
2014147343.tif 000008
【図７】
2014147343.tif 000009
【図８】
2014147343.tif 000010
【図９】
2014147343.tif 000011
【図１０】
2014147343.tif 000012
【図１１】
2014147343.tif 000013